(57)【要約】【課題】複数のＬＥＤ照明装置が取得した外部情報を、設備コストを抑えつつ、適格、かつ、遅れることなく外部情報の解析結果を報知することができるＬＥＤ照明システムを提供すること。【解決手段】ＬＥＤが組み込まれた照明部１１と、外部情報取得部２２、および、リアルタイムで取得された外部情報と同一時間軸で報知したい情報の解析に必要な時間間隔で間欠的に外部情報を装置識別情報とともに送信するように無線通信部２３を制御する間欠送信制御部２５ａを備えた機能部２０と、を有し、蛍光灯に取り付け可能な複数のＬＥＤ照明装置１０と、無線通信部２３から間欠的に送信された外部情報を装置識別情報とともに受信し、複数のＬＥＤ照明装置１０の各装置に対応した報知情報を生成する解析サーバー３０と、解析サーバー３０から送信された複数のＬＥＤ照明装置１０の各装置に対応した報知情報を受信し、各装置に対応した報知情報を報知する報知部４０と、を有する。【選択図】図２
2020109583.tif 000002
【特許請求の範囲】
【請求項１】
ＬＥＤが組み込まれた照明部と、該照明部の周りの外部情報をリアルタイムで取得する外部情報取得部、および、該外部情報取得部によってリアルタイムで取得された前記外部情報と同一時間軸で報知したい情報の解析に必要な時間間隔で間欠的に前記外部情報を装置識別情報とともに送信するように無線通信部を制御する間欠送信制御部を備えた機能部と、を有し、蛍光灯の両ソケットに取り付け可能な複数のＬＥＤ照明装置と、
前記複数のＬＥＤ照明装置と通信可能に接続され、前記無線通信部から間欠的に送信された前記外部情報を前記装置識別情報とともに受信し、該受信した前記外部情報の時間経過における変化を解析することによって前記複数のＬＥＤ照明装置の各装置に対応した報知情報を生成する解析サーバーと、
前記解析サーバーと通信可能に接続され、前記解析サーバーから送信された前記複数のＬＥＤ照明装置の各装置に対応した前記報知情報を受信し、各装置に対応した前記報知情報を報知する報知部と、
を有することを特徴とすることを特徴とするＬＥＤ照明システム。
【請求項２】
前記装置識別情報は、
前記ＬＥＤ照明装置が設置される場所の情報を含み、
前記報知情報は、
前記装置識別情報に含まれる前記ＬＥＤ照明装置が設置される場所の情報を含む
ことを特徴とする請求項１に記載のＬＥＤ照明システム。
【請求項３】
前記複数のＬＥＤ照明装置は、
直管状蛍光灯の両ソケットに取り付け可能、かつ、前記照明部が直管型である
ことを特徴とする請求項１または２に記載のＬＥＤ照明システム。
【請求項４】
前記機能部は、
取得する前記外部情報の種類に応じて別個に設けられ、かつ、前記照明部に着脱自在に設けられる
ことを特徴とする請求項１、２または３に記載のＬＥＤ照明システム。
【発明の詳細な説明】
【技術分野】
【０００１】
本発明は、通信ネットワークに接続されたＬＥＤ照明装置を有するＬＥＤ照明システムに関する。
【背景技術】
【０００２】
従来、省電力化の流れから、蛍光灯に代わって、蛍光灯の既存の電源部分を利用しつつ、光源をＬＥＤ（Ｌｉｇｈｔ  Ｅｍｉｔｔｉｎｇ  Ｄｉｏｄｅ）に変更したＬＥＤ照明装置に置き換えられるようになってきている。
このようなＬＥＤ照明装置は、電源を交流電源から直流電源に変換するとともに電気配線を変更することによってＬＥＤへの電源供給を可能にしている。
このＬＥＤ照明装置は、直流電源から給電可能となったことにより、センサ、カメラ等、照明周りの外部情報を取得する機能部を容易に組み込むことができるようになった。
【０００３】
例えば、特許文献１に記載のＬＥＤ照明装置は、機能部として照明器具の周りを監視するための監視用センサを備えたＬＥＤ照明器具が記載されている。
【０００４】
また、特許文献２には、照明器具に一体的に取り付けられた監視カメラの撮影した画像（外部情報）を外部の携帯電話にインターネットを介して送信する遠隔監視システムが記載されている。
この特許文献２に記載の遠隔監視システムは、センサからの異常検出の入力があったとき監視カメラを作動させ、カメラが撮像した画像を登録されたメールアドレスに送信することによって異常を報知するようにしている。
なお、特許文献２に記載の遠隔監視システムは、カメラによって時系列に複数の画像を撮像してカメラを含む画像伝送端末（機能部に相当）に組み込まれたメモリに格納し、それらの画像から異常を検出することも記載されている。
【先行技術文献】
【特許文献】
【０００５】
【特許文献１】特開２０１０−１１４０５５号公報
【特許文献２】特開２００４−９６４４３号公報
【発明の概要】
【発明が解決しようとする課題】
【０００６】
しかしながら、特許文献２に記載された発明は、カメラを含む画像伝送端末のそれぞれに報知したい情報の解析処理機能を設ける必要があり、各所に設置された多数のカメラを用いてそのカメラ周辺の外部情報を解析した結果を報知するためには設備コストが大きくなってしまう問題があった。
この問題を解消するために、複数の画像伝送端末に通信可能に接続される解析サーバーを設け、この解析サーバー側に複数の画像伝送端末から送信される外部情報の解析処理を実行させることも可能であれるが、各画像伝送端末から解析サーバーに外部情報をリアルタイムで送信すると送信データ量が大きくなり、システム全体としての処理能力を高める必要があるため、結果的に設備コストが増加してしまう問題が発生する。
一方、各画像伝送端末から解析サーバーに送信される外部情報の送信データ量を小さく抑えると、外部情報を報知したい情報の解析に必要なデータ量で解析することができない、問題、あるいは、報知のタイミングが遅れてしまう問題が発生するおそれがあった。
【０００７】
本発明は、上記に鑑みてなされたものであって、複数のＬＥＤ照明装置が取得した外部情報を、設備コストを抑えつつ、適格、かつ、遅れることなく外部情報の解析結果を報知することができるＬＥＤ照明システムを提供することを目的とする。
【課題を解決するための手段】
【０００８】
上述した課題を解決し、目的を達成するために、本発明に係るＬＥＤ照明システムは、ＬＥＤが組み込まれた照明部と、該照明部の周りの外部情報をリアルタイムで取得する外部情報取得部、および、該外部情報取得部によってリアルタイムで取得された前記外部情報と同一時間軸で報知したい情報の解析に必要な時間間隔で間欠的に前記外部情報を装置識別情報とともに送信するように無線通信部を制御する間欠送信制御部を備えた機能部と、を有し、蛍光灯の両ソケットに取り付け可能な複数のＬＥＤ照明装置と、前記複数のＬＥＤ照明装置と通信可能に接続され、前記無線通信部から間欠的に送信された前記外部情報を前記装置識別情報とともに受信し、該受信した前記外部情報の時間経過における変化を解析することによって前記複数のＬＥＤ照明装置の各装置に対応した報知情報を生成する解析サーバーと、前記解析サーバーと通信可能に接続され、前記解析サーバーから送信された前記複数のＬＥＤ照明装置の各装置に対応した前記報知情報を受信し、各装置に対応した前記報知情報を報知する報知部と、を有することを特徴とすることを特徴とする。
【０００９】
また、本発明に係るＬＥＤ照明システムは、上記の発明において、前記装置識別情報が、前記ＬＥＤ照明装置が設置される場所の情報を含み、前記報知情報が、前記装置識別情報に含まれる前記ＬＥＤ照明装置が設置される場所の情報を含むことを特徴とする。
【００１０】
また、本発明に係るＬＥＤ照明システムは、上記の発明において、前記複数のＬＥＤ照明装置が、直管状蛍光灯の両ソケットに取り付け可能、かつ、前記照明部が直管型であることを特徴とする。
【００１１】
また、本発明に係るＬＥＤ照明システムは、上記の発明において、前記機能部が、取得する前記外部情報の種類に応じて別個に設けられ、かつ、前記照明部に着脱自在に設けられることを特徴とする。
【発明の効果】
【００１２】
本発明に係るＬＥＤ照明システムは、前記複数のＬＥＤ照明装置が取得した前記外部情報を前記複数のＬＥＤ照明装置と通信可能に接続された前記解析サーバーによって集約して解析することができる。しかも、前記間欠送信制御部によって、前記外部情報が、前記外部情報取得部によってリアルタイムで取得された前記外部情報と同一時間軸で報知したい情報の解析に必要な時間間隔で間欠的に前記複数のＬＥＤ照明装置の各ＬＥＤ照明装置から前記装置識別情報とともに前記解析サーバーに送信される。このため、前記複数のＬＥＤ照明装置の各ＬＥＤ照明装置から前記解析サーバーへの送信データ量を小さく抑えつつ、リアルタイムの時間軸で遅延することなく前記解析サーバーによる解析によって生成された前記複数のＬＥＤ照明装置の各装置に対応した報知情報を前記報知部によって報知することができる。
従って、本発明に係るＬＥＤ照明システムは、複数のＬＥＤ照明装置が取得した外部情報を、設備コストを抑えつつ、適格、かつ、遅れることなく外部情報の解析結果を報知することができる。
【図面の簡単な説明】
【００１３】
【図１】図１は、本発明の実施例に係るＬＥＤ照明システムの概略図である。
【図２】図２は、ＬＥＤ照明システムのブロック図である。
【図３】図３は、（ａ）がＬＥＤ照明装置の斜視図であり、（ｂ）がＬＥＤ照明装置の分解斜視図である。
【図４】図４は、ＬＥＤ照明システムによって外部情報が取得されてから取得された外部情報の解析結果が報知部によって報知されるまでのＬＥＤ照明システムの一連の処理手順を示したフローチャートである。
【図５】図５は、報知部によって報知情報が報知される状態を説明するための図である。
【発明を実施するための形態】
【００１４】
以下、図面を参照して、本発明に係るＬＥＤ照明システムの好適な実施例を詳細に説明する。
【実施例】
【００１５】
図１は、本発明の実施例に係るＬＥＤ照明システム１の概略図である。図２は、ＬＥＤ照明システム１のブロック図である。図３は、（ａ）がＬＥＤ照明装置１０の斜視図であり、（ｂ）がＬＥＤ照明装置１０の分解斜視図である。
本発明の実施例に係るＬＥＤ照明システム１は、照明機能にさらに外部情報の取得機能を付加した複数のＬＥＤ照明装置１０と、複数のＬＥＤ照明装置１０と通信可能に接続された解析サーバー３０と、解析サーバー３０と通信可能に接続された報知部４０と、を有する。
なお、この実施例では、複数のＬＥＤ照明装置１０は電車Ｔの天井に設けられ、電車Ｔ等の移動体であっても安定した通信ができるＬＴＥ（登録商標）による通信ネットワークＮを介して解析サーバー３０に通信可能に接続されている。また、解析サーバー３０と報知部４０とは無線通信によって通信可能に接続されている。
【００１６】
まず、ＬＥＤ照明装置１０について説明する。
ＬＥＤ照明装置１０は、この実施例では、図１に示すように、電車Ｔ内の照明として設けられ、電車Ｔ内の天井に複数並んで配置されている。
【００１７】
このＬＥＤ照明装置１０は、一端側に第一口金部１３が設けられた照明部１１と、外部情報Ｄ２をリアルタイムで取得する外部情報取得部２２、および、外部情報取得部２２によってリアルタイムで取得された外部情報の無線通信部２３による送信を制御する間欠送信制御部２５ａを備えた機能部２０と、第二口金部２６と、を有する。
【００１８】
照明部１１は、直管型になっている。このためＬＥＤ照明装置１０は、両端に設けられた第一口金部１３および第二口金部２６を介して直管状蛍光灯の両ソケット（不図示）に取り付け可能になっている。
【００１９】
この照明部１１は、ＬＥＤが内部に配置され、ＬＥＤの光を外部に出射する光透過性の部分を含む直管状カバー部１２と、直管状蛍光灯の一方のソケットから電源供給可能に接続されるように直管状カバー部１２の一端部に固定された第一口金部１３と、を有する。
【００２０】
直管状カバー部１２は、直管状のガラス部材の外周面をＰＥＴ（ｐｏｌｙｅｔｈｙｌｅｎｅ  ｔｅｒｅｐｈｔｈａｌａｔｅ）等の飛散防止フィルムで覆った光透過性の直管状部分である。
なお、直管状カバー部１２は、ガラス部材に限らず、ＬＥＤの光を外部に出射する光透過性の部分を含む部材であれば、ポリカーボネート等のその他の材質からなるものであっても構わない。
【００２１】
この直管状カバー部１２は、内部に不図示の複数のＬＥＤが実装された不図示のＬＥＤ回路基板と、直管状蛍光灯の一方のソケットから供給された交流電圧（例えば、ＡＣ１００Ｖ〜２００Ｖ）を、所定の直流電圧に変換する回路がボックス内に形成された不図示の電源制御回路部が収容されている。
【００２２】
電源制御回路部は、第一口金部１３およびＬＥＤ回路基板に電気的に接続され、さらに、不図示のコネクタを介して機能部２０に電気的に接続可能になっている。
この電源制御回路部は、第一口金部１３から供給された電源を、複数のＬＥＤへの所定の直流電圧、および、機能部２０への所定の直流電圧（例えば、ＤＣ５Ｖ）に変換して供給するものである。
電源制御回路部は、例えば、機能部２０のコネクタに接続されるコネクタが電線を介して直管状カバー部１２の外に引き出し可能になっている。
【００２３】
第一口金部１３は、直管状蛍光灯の一方のソケットに接続されるようになっている。この第一口金部１３は、図３に示すように、直管状カバー部１２の一端部に固定される部分となる筒状部１３ａと、電気接続部分となるピン１３ｂと、を有し、ピン１３ｂが直管状蛍光灯のソケットに装着可能な形状になっている。
【００２４】
機能部２０は、照明部１１を介して供給される電源の接続部分となる不図示のコネクタを有し、照明部１１を介して電源が供給されるようになっている。
この機能部２０は、図２に示すように、外部情報取得部２２と、無線通信部２３と、記憶部２４と、制御部２５と、を有し、これらが筐体２１内に組み込まれている。
【００２５】
筐体２１は、一端部が直管状カバー部１２の端部を嵌入するように形成された筒状部分２１ａが形成されており、他端部が第二口金部２６の後述する筒状部２６ａを嵌入するように形成された筒状部分２１ｂが形成されている。
この筐体２１は、両端部の筒状部分２１ａ、２１ｂの間および筒状部分２１ａ、２１ｂの周辺に拡大するように、外部情報取得部２２、無線通信部２３、記憶部２４、および、制御部２５を構成する部品が収容される収容空間が形成されており、内部にこれらの部品を収容した状態で、直管状カバー部１２および第二口金部２６の間に取付けられる。
【００２６】
外部情報取得部２２は、照明部１１の周りの外部情報Ｄ２をリアルタイムで取得するものである。
例えば、外部情報取得部２２は、カメラのレンズおよびＣＭＯＳイメージセンサ等を備えた撮像部であり、動画、あるいは、静止画を外部情報Ｄ２として取得するものである。
なお、外部情報取得部２２は、撮像部に限定されず、照明部１１の周りの外部情報Ｄ２を取得できるものであればその他のものであっても構わない。例えば、外部情報取得部２２は、物体から放射される赤外線を分析し、熱分布を画像データで取得することができる、いわゆる、サーモカメラであってもよい。
【００２７】
無線通信部２３は、例えば、ＬＴＥ（登録商標）を通信方式としたものを用いている。
なお、この実施例のＬＥＤ照明装置１０は、無線通信部２３が、移動体である電車Ｔ内に設置されることを考慮して、ＬＴＥを通信方式とするものを例示したが、これに限らず、無線通信を可能にするものであればその他の通信方式を用いても構わない。無線通信部２３は、例えば、ＷｉＦｉ（登録商標）を通信方式とした通信モジュールを用いてもよい。あるいは、ＬＴＥおよびＷｉＦｉの両通信の機能制限および切替機能を備えて、ＬＴＥおよびＷｉＦｉの両通信の通信方式を切り替え可能な通信モジュールを用いても構わない。
【００２８】
記憶部２４は、ＬＥＤ照明装置１０の装置識別情報Ｄ１、あるいは、外部情報取得部２２によって取得された外部情報Ｄ２等、ＬＥＤ照明装置１０の制御に関する各種情報を保存するものである。
装置識別情報Ｄ１は、複数のＬＥＤ照明装置１０を識別することができる情報であればよい。
【００２９】
なお、この実施例では、装置識別情報Ｄ１は、ＬＥＤ照明装置１０が設置される場所の情報を含むようにしている。
具体的には、装置識別情報Ｄ１は、電車の号車番号の情報、左右どちらの窓側にあるかの情報、さらに、列番号の情報等を付加する。
例えば、５号車両、右側、第４列というような設置場所の情報を、「５−右―４」として装置識別情報Ｄ１とする。
【００３０】
なお、この実施例では、記憶部２４は、一部をメモリカードおよびカードスロットによって実現している。メモリカードは、外部情報取得部２２によって取得された動画、あるいは、静止画が記憶され、容量に応じて古いデータが新しいデータに上書きされるようになっている。
【００３１】
制御部２５は、外部情報取得部２２および無線通信部２３を含む機能部２０の全体的な制御を行うものである。
この制御部２５は、リアルタイムで取得された外部情報Ｄ２の送信間隔を制御する間欠送信制御部２５ａを備える。
間欠送信制御部２５ａは、外部情報取得部２２によってリアルタイムで取得された外部情報Ｄ２と同一時間軸で報知したい情報の解析に必要な時間間隔で間欠的に外部情報Ｄ２を送信するように無線通信部２３を制御するものである。
なお、報知したい情報の解析に必要な時間間隔とは、例えば、外部情報取得部２２が撮像部であり、電車Ｔ内の乗客Ｐの異常を知らせることが報知したい情報である場合、外部情報取得部２２がリアルタイムで取得する乗客Ｐの動画データから同一時間軸で間欠的に送信された画像データの変化から乗客の異常の検出が可能な画像データの送信時間間隔である。
【００３２】
この送信時間間隔は、送信データ量を抑えるということを考慮すると、外部情報の特性に応じてできるだけ長い時間間隔に設定することが好ましい。
【００３３】
間欠送信制御部２５ａは、例えば、リアルタイムで取得される乗客の動画データから、５秒に１枚、あるいは、１０秒に１枚というように間欠的に画像データを送信するように無線通信部２３を制御する。
なお、報知したい情報の解析に必要な時間間隔が１０秒に１枚であれば、より時間間隔の短い５秒に１枚の時間間隔は当然に解析可能な時間間隔ということになるが、送信データ量をより抑えたい場合、１０秒に１枚という時間間隔で送信するとよい。
【００３４】
第二口金部２６は、直管状蛍光灯の他方のソケットに接続されるようになっている。この第二口金部２６は、図３に示すように、機能部２０の筐体２１の一端部に固定される部分となる筒状部２６ａと、ピン２６ｂと、を有し、ピン２６ａが直管状蛍光灯の他方のソケットに装着可能な形状になっている。
【００３５】
このようなＬＥＤ照明装置１０は、一端側の第一口金部１３から間に着脱可能な機能部２０の筐体２１を通して他端側の第二口金部２６まで連結固定され、両端の第一口金部１３および第二口金部２６を介して蛍光灯の両ソケットに取り付けできるようになっている。
【００３６】
また、外部情報取得部２２が組み込まれる機能部２０の筐体２１は、図３（ｂ）に示すように、直管状カバー部１２の端部と第二口金部２６との間に容易に着脱できるようになっている。
すなわち、機能部２０が照明部１１に着脱自在に設けられているので、機能部２０が取得する外部情報の種類に応じを別個に設け、用途に応じて種類の異なる機能部２０を付け替えるようにしてもよい。
例えば、外部情報取得部２２として撮像部を筐体２１内に組み込んだ機能部２０と、外部情報取得部２２としてサーモカメラを筐体２１内に組み込んだ機能部２０とを用途に応じて付け替えることができる。
【００３７】
次に、解析サーバー３０について説明する。
解析サーバー３０は、複数のＬＥＤ照明装置１０と通信可能に接続され、無線通信部２３から間欠的に送信された外部情報Ｄ２を装置識別情報Ｄ１とともに受信し、受信した外部情報の時間経過における変化を解析することによって複数のＬＥＤ照明装置１０の各装置に対応した報知情報Ｄ３を生成するものである。
【００３８】
また、解析サーバー３０は、生成した報知情報Ｄ３を報知部４０に送信する。
【００３９】
解析サーバー３０は、外部情報取得部２２から、例えば、５秒に１枚、あるいは、１０秒に１枚というように間欠的に送信された画像データから、時系列で前後に送信された画像データでの変化を解析することによって、電車Ｔ内の乗客Ｐの異常を検出し、異常があると判断した場合、異常を知らせるための報知情報Ｄ３を生成する。
【００４０】
なお、解析サーバー３０は、異常であるか否かの判断基準として、例えば、照明部１１の周りの乗客Ｐの画像の変化を数値化し、所定の閾値以上の数値の変化があった場合に、異常であると判断する。
また、外部情報取得部２２としてサーモカメラを用いた場合、解析サーバー３０は、照明部１１の周りの乗客Ｐの体温変化を解析し、照明部１１の周りの乗客Ｐの体調の異常を報知情報Ｄ３として報知するようにしてもよい。
この解析サーバー３０は、例えば、近年、急速に普及しつつある人口知能(ａｒｔｉｆｉｃａｌ  ｉｎｔｅｌｌｉｇｅｎｃｅ、ＡＩ）を解析手段に適用してもよい。
【００４１】
なお、電車Ｔ内の乗客Ｐの異常とは、例えば、痴漢、窃盗、体調不良、によって乗客Ｐが異常な状況下にあることをいう。
また、報知情報Ｄ３とは、例えば、「不審者アリ」、「体調不良者アリ」というような情報を報知部４０の表示画面４０ａに出力させることによって、このＬＥＤ照明システム１の管理者等に報知させる情報である。
【００４２】
次に、報知部４０について説明する。
報知部４０は、解析サーバー３０と通信可能に接続され、解析サーバー３０から送信された複数のＬＥＤ照明装置１０の各装置に対応した報知情報Ｄ３を受信し、各装置に対応した報知情報Ｄ３を報知するものである。
この実施例では、報知部４０は、報知情報Ｄ３を表示することができる表示画面４０ａを備えた携帯電話によって実現している。
この報知部４０としての携帯電話は、例えば、ＬＥＤ照明システム１の運用に関するソフトウェア、より具体的には、解析サーバー３０から受信した報知情報を出力表示可能にする機能を含むソフトウェアがインストールされており、ＬＥＤ照明システム１の管理者が割り当てられたパスワードを入力することによって、ＬＥＤ照明システム１の通信ネットワークに接続されるようになっている。
【００４３】
報知部４０は、解析サーバー３０から報知情報Ｄ３を受信すると、ＬＥＤ照明装置１０が設置場所の情報を含む装置識別情報Ｄ１とともに、例えば、「不審者アリ」、「体調不良者アリ」というような、報知情報Ｄ３を表示画面に出力させる。
【００４４】
なお、報知部４０は、携帯電話に限定されず、解析サーバー３０によって生成され報知情報を報知することができればその他のものを適用しても構わない。例えば、タブレット、あるいは、パーソナルコンピューターを用いてもよい。
また、報知部４０は、表示画面４０ａによって報知情報Ｄ３を報知するものを例示したが、これに限らず、報知情報Ｄ３を報知することができれば、その他の手段で報知するようにしてもよい。例えば、スピーカーから音声によって報知情報Ｄ３を報知するようにしてもよい。
また、報知部４０は、報知情報Ｄ３を表示画面４０ａに出力する際、同時にアラーム音を発するようにしてもよい。
【００４５】
次に、図４および図５を用いて、ＬＥＤ照明装置１０の機能部２０によって外部情報Ｄ２が取得されてから取得された外部情報Ｄ２の解析結果が報知部４０によって報知されるまでのＬＥＤ照明システム１の一連の処理手順について説明する。
図４は、ＬＥＤ照明システム１によって外部情報Ｄ２が取得されてから取得された外部情報Ｄ２の解析結果が報知部４０によって報知されるまでのＬＥＤ照明システム１の一連の処理手順を示したフローチャートである。図５は、報知部４０によって報知情報Ｄ３が報知される状態を説明するための図である。
【００４６】
なお、外部情報取得部２２は、撮像部として説明する。
また、ＬＥＤ照明システム１は、複数のＬＥＤ照明装置１０を有するが、一つのＬＥＤ照明装置１０について代表して説明する。
【００４７】
まず、ＬＥＤ照明装置１０の処理手順について説明する。
ＬＥＤ照明装置１０は、外部情報取得部２２によってリアルタイムでの外部情報Ｄ２の取得が開始されたか否かを判断する（ステップＳ１０１）。
ステップＳ１０１において、ＬＥＤ照明装置１０は、外部情報Ｄ２の取得が開始されたと判断した場合（ステップＳ１０１：Ｙｅｓ）、ＬＥＤ照明装置１０の装置識別情報Ｄ１、および、リアルタイムで取得した外部情報Ｄ２を報知したい情報の解析に必要な時間間隔で間欠的に解析サーバー３０に送信し（ステップＳ１０２）、この処理をＬＥＤ照明装置１０が起動停止されるまで繰り返す。
【００４８】
ここで、ＬＥＤ照明装置１０は、リアルタイムで取得される乗客Ｐの動画データから、５秒に１枚、あるいは、１０秒に１枚というように間欠的に画像データを解析サーバー３０に送信する。このため、ＬＥＤ照明装置１０は、解析サーバー３０へのデータ送信量を小さく抑えることができる。
一方、ステップＳ１０１において、ＬＥＤ照明装置１０は、外部情報Ｄ２の取得が開始されていないと判断した場合（ステップＳ１０１：Ｎｏ）、ステップ１０１の判断処理を繰り返す。
【００４９】
次に、解析サーバー３０の処理手順について説明する。
解析サーバー３０は、ＬＥＤ照明装置１０から装置識別情報Ｄ１、および、外部情報Ｄ２を受信したか否かを判断する（ステップＳ２０１）。
ステップＳ２０１において、解析サーバー３０は、ＬＥＤ照明装置１０から装置識別情報Ｄ１、および、外部情報Ｄ２を受信したと判断した場合（ステップＳ２０１：Ｙｅｓ）、ＬＥＤ照明装置１０の装置識別情報Ｄ１からその装置から時系列で前に受信された外部情報Ｄ２があるか否かを判断する（ステップ２０２）。
一方、ステップＳ２０１において、解析サーバー３０は、ＬＥＤ照明装置１０から装置識別情報Ｄ１、および、外部情報Ｄ２を受信していないと判断した場合（ステップＳ２０１：Ｎｏ）、ステップ２０１の判断処理を繰り返す。
【００５０】
ステップＳ２０２において、解析サーバー３０は、ＬＥＤ照明装置１０の装置識別情報Ｄ１からその装置から時系列で前に受信された外部情報Ｄ２があると判断した場合（ステップＳ２０２：Ｙｅｓ）、今回受信された外部情報Ｄ２と、時系列で前に受信された外部情報Ｄ２との差が所定の閾値以上か否かを判断する（ステップＳ２０３）。
【００５１】
一方、ステップＳ２０２において、解析サーバー３０は、ＬＥＤ照明装置１０の装置識別情報Ｄ１からその装置から時系列で前に受信された外部情報Ｄ２がないと判断した場合（ステップＳ２０２：Ｎｏ）、処理をステップ２０１に戻す。
【００５２】
ステップＳ２０３において、解析サーバー３０は、今回受信された外部情報Ｄ２と、時系列で前に受信された外部情報Ｄ２との差が所定の閾値以上であると判断した場合（ステップＳ２０３：Ｙｅｓ）、ＬＥＤ照明装置１０の装置識別情報Ｄ１に対応した報知情報Ｄ３を生成する（ステップＳ２０４）。
ここで、解析サーバー３０は、ＬＥＤ照明装置１０の装置識別情報Ｄ１とともに、例えば、「不審者アリ」、「体調不良者アリ」というような報知情報Ｄ３を、報知部４０の表示画面４０ａに出力させることによって、このＬＥＤ照明システム１の管理者等に報知させる情報を生成する。
【００５３】
一方、ステップＳ２０３において、解析サーバー３０は、今回受信された外部情報Ｄ２と、時系列で前に受信された外部情報Ｄ２との差が所定の閾値以上でないと判断した場合（ステップＳ２０３：Ｎｏ）、処理をステップ２０１に戻す。
【００５４】
ステップ２０４において、解析サーバー３０は、報知情報Ｄ３を生成すると、生成した報知情報Ｄ３をＬＥＤ照明装置１０の装置識別情報Ｄ１とともに報知部４０に送信し（ステップＳ２０５）、処理をステップＳ２０１に戻し、上述の処理を繰り返す。
【００５５】
次に、報知部４０の処理手順について説明する。
報知部４０は、解析サーバー３０からＬＥＤ照明装置１０の装置識別情報Ｄ１、および、報知情報Ｄ３を受信したか否かを判断する（ステップＳ３０１）。
ステップＳ３０１において、報知部４０は、解析サーバー３０からＬＥＤ照明装置１０の装置識別情報Ｄ１、および、報知情報Ｄ３を受信したと判断した場合（ステップＳ３０１：Ｙｅｓ）、ＬＥＤ照明装置１０の装置識別情報Ｄ１とともに報知情報Ｄ３を表示画面４０ａに出力する（ステップＳ３０２）。
なお、報知部４０が報知情報Ｄ３として表示画面４０ａに出力する内容は、ＬＥＤ照明装置１０の装置識別情報Ｄ１に上述したような設置場所の情報を含ませた場合、例えば、図５に示すように、「「５−右―４」に不審者アリ」となる。
また、この時、同時にアラーム音を発するようにすると、管理者はより早く報知情報Ｄ３を知ることができる。
なお、表示画面４０ａに出力する内容は、時刻等のその他の情報を付加するようにしてもよい。
このように報知部４０によって、情報が報知されることによって、ＬＥＤ照明システム１の管理者等は、複数のＬＥＤ照明装置１０が設置された場所での異常を常時監視することなく、しかも、遅れることなく知ることによって、異常事態に早急に対処することできる。
さらに、報知情報Ｄ３が、装置識別情報Ｄ１としてＬＥＤ照明装置１０の設置場所の情報を含むようにしているので、異常の発生した場所を容易かつ早急に特定することができる。
【００５６】
一方、ステップＳ３０１において、報知部４０は、解析サーバー３０からＬＥＤ照明装置１０の装置識別情報Ｄ１、および、報知情報Ｄ３を受信していないと判断した場合（ステップＳ３０１：Ｎｏ）、ステップＳ３０１の判断処理を繰り返す。
【００５７】
ステップＳ３０２において、報知部４０は、ＬＥＤ照明装置の装置識別情報Ｄ１とともに報知情報Ｄ３を表示画面４０ａに表示すると、処理をステップＳ３０１に戻し、上述の処理を繰り返す。
【００５８】
本発明の実施例に係るＬＥＤ照明システム１は、複数のＬＥＤ照明装置１０が取得した外部情報Ｄ２を複数のＬＥＤ照明装置１０と通信可能に接続された解析サーバー３０によって集約して解析することができる。しかも、間欠送信制御部２５ａによって、外部情報Ｄ２が、外部情報取得部２２によってリアルタイムで取得された外部情報Ｄ２と同一時間軸で報知したい情報の解析に必要な時間間隔で間欠的に複数のＬＥＤ照明装置１０の各ＬＥＤ照明装置１０から装置識別情報Ｄ１とともに解析サーバー３０に送信される。このため、複数のＬＥＤ照明装置１０の各ＬＥＤ照明装置１０から解析サーバー３０への送信データ量を小さく抑えつつ、リアルタイムの時間軸で遅延することなく解析サーバー３０による解析によって生成された複数のＬＥＤ照明装置１０の各装置に対応した報知情報Ｄ３を報知部４０によって報知することができる。
従って、本発明に係るＬＥＤ照明システム１は、複数のＬＥＤ照明装置１０が取得した外部情報Ｄ２を、設備コストを抑えつつ、適格、かつ、遅れることなく外部情報Ｄ２の解析結果を報知することができる。
【００５９】
また、本発明の実施例に係るＬＥＤ照明システム１は、装置識別情報Ｄ１が、ＬＥＤ照明装置１０が設置される場所の情報を含み、報知情報Ｄ３が、装置識別情報Ｄ１に含まれるＬＥＤ照明装置１０が設置される場所の情報を含むので、報知部４０によって報知情報Ｄ３として報知された装置識別情報Ｄ１によって、外部情報Ｄ２を取得したＬＥＤ照明装置の設置場所が分かるので、ＬＥＤ照明システム１の管理者等は、異常の発生した場所を容易かつ早急に特定することができる。
【００６０】
また、本発明の実施例に係るＬＥＤ照明システム１は、複数のＬＥＤ照明装置１０が、直管状蛍光灯の両ソケットに取り付け可能、かつ、照明部１１が直管型であるので、電車Ｔ等の公共の移動体、あるいは、屋内施設に複数設置された直管型の蛍光灯に代って設置され易く、結果的に、複数の照明装置が設置される場所に容易に適用することができる。
【００６１】
また、本発明の実施例に係るＬＥＤ照明システム１は、機能部２０が、取得する外部情報Ｄ２の種類に応じて別個に設けられ、かつ、照明部１１に着脱自在に設けられている。
このため、本発明の実施例に係るＬＥＤ照明システム１は、機能部２０を変更することによって、取得する外部情報Ｄ２を容易に変更することができるので、報知部４０によって各種の要求に応じた報知情報Ｄ３を報知することができる。
【００６２】
なお、本発明の実施例に係るＬＥＤ照明システム１は、ＬＥＤ照明装置１０が移動体である電車Ｔ内に設置されるものを例示したが、ＬＥＤ照明装置１０が設置される場所は、これに限らず、建屋内に設置されてもよい。
ＬＥＤ照明装置１０が建屋のように固定された場所に設置される場合、安定した通信環境を確保することができるので、無線通信部は、ＬＴＥ以外のその他の通信方式を用いてもよい。
【００６３】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００６４】
１      ＬＥＤ照明システム
１０    ＬＥＤ照明装置
１１    照明部
１２    直管状カバー部
１３    第一口金部
１３ａ  筒状部
１３ｂ  ピン
２０    機能部
２１    筐体
２１ａ、２１ｂ  筒状部分
２２    外部情報取得部
２３    無線通信部
２４    記憶部
２５    制御部
２５ａ  間欠送信制御部
２６    第二口金部
２６ａ  筒状部
２６ｂ  ピン
３０    解析サーバー
４０    報知部
４０ａ  表示画面
Ｄ１    装置識別情報
Ｄ２    外部情報
Ｄ３    報知情報
Ｔ      電車
Ｎ      通信ネットワーク
Ｐ      乗客
【図１】
2020109583.tif 000003
【図２】
2020109583.tif 000004
【図３】
2020109583.tif 000005
【図４】
2020109583.tif 000006
【図５】
2020109583.tif 000007
【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
ＬＥＤが組み込まれた照明部と、該照明部の周りの外部情報をリアルタイムで取得する外部情報取得部、および、該外部情報取得部によってリアルタイムで取得された前記外部情報と同一時間軸で報知したい情報の解析に必要な時間間隔をあけて間欠的に前記外部情報を装置識別情報とともに送信するように無線通信部を制御する間欠送信制御部を備えた機能部と、を有し、蛍光灯の両ソケットに取り付け可能な複数のＬＥＤ照明装置と、
前記複数のＬＥＤ照明装置と通信可能に接続され、前記無線通信部から間欠的に送信された前記外部情報を前記装置識別情報とともに受信し、該受信した前記外部情報の時間経過における変化を解析することによって前記複数のＬＥＤ照明装置の各装置に対応した報知情報を生成する解析サーバーと、
前記解析サーバーと通信可能に接続され、前記解析サーバーから送信された前記複数のＬＥＤ照明装置の各装置に対応した前記報知情報を受信し、各装置に対応した前記報知情報を報知する報知部と、
を有し、
前記間欠送信制御部は、
前記解析サーバーによって前記報知情報を生成することができる範囲のできるだけ長い時間間隔をあけて間欠的に前記外部情報を送信するように前記無線通信部を制御する
ことを特徴とすることを特徴とするＬＥＤ照明システム。
【請求項２】
前記装置識別情報は、
前記ＬＥＤ照明装置が設置される場所の情報を含み、
前記報知情報は、
前記装置識別情報に含まれる前記ＬＥＤ照明装置が設置される場所の情報を含む
ことを特徴とする請求項１に記載のＬＥＤ照明システム。
【請求項３】
前記複数のＬＥＤ照明装置は、
直管状蛍光灯の両ソケットに取り付け可能、かつ、前記照明部が直管型である
ことを特徴とする請求項１または２に記載のＬＥＤ照明システム。
【請求項４】
前記機能部は、
取得する前記外部情報の種類に応じて別個に設けられ、かつ、前記照明部に着脱自在に設けられる
ことを特徴とする請求項１、２または３に記載のＬＥＤ照明システム。
【手続補正２】
【補正対象書類名】明細書
【補正対象項目名】０００８
【補正方法】変更
【補正の内容】
【０００８】
上述した課題を解決し、目的を達成するために、本発明に係るＬＥＤ照明システムは、ＬＥＤが組み込まれた照明部と、該照明部の周りの外部情報をリアルタイムで取得する外部情報取得部、および、該外部情報取得部によってリアルタイムで取得された前記外部情報と同一時間軸で報知したい情報の解析に必要な時間間隔をあけて間欠的に前記外部情報を装置識別情報とともに送信するように無線通信部を制御する間欠送信制御部を備えた機能部と、を有し、蛍光灯の両ソケットに取り付け可能な複数のＬＥＤ照明装置と、前記複数のＬＥＤ照明装置と通信可能に接続され、前記無線通信部から間欠的に送信された前記外部情報を前記装置識別情報とともに受信し、該受信した前記外部情報の時間経過における変化を解析することによって前記複数のＬＥＤ照明装置の各装置に対応した報知情報を生成する解析サーバーと、前記解析サーバーと通信可能に接続され、前記解析サーバーから送信された前記複数のＬＥＤ照明装置の各装置に対応した前記報知情報を受信し、各装置に対応した前記報知情報を報知する報知部と、を有し、前記間欠送信制御部は、前記解析サーバーによって前記報知情報を生成することができる範囲のできるだけ長い時間間隔をあけて間欠的に前記外部情報を送信するように前記無線通信部を制御することを特徴とすることを特徴とする。